(57)【要約】【課題】本発明は、筐体から防雪フードの金属製メッシュ部を着脱可能にすることで、降雪時期以外の時期に通風性を向上させることの可能な室外機を提供することを目的とする。【解決手段】筐体に設けられ、かつ外気吸込み口の周囲に配置されたフレーム３５、及びフレーム３５の外側から外気吸込み口を囲むように配置されるとともに、フレーム３５に対して着脱可能に取り付けられた上側メッシュ状部材３７Ａ，３７Ｂ、及び横側メッシュ状部材３７Ｃを有する防雪フード１３と、を備える。【選択図】図３
2019086231.tif 000002
【特許請求の範囲】
【請求項１】
外気吸込み口と吹き出し口が形成された筐体、該筐体内に収容され、前記外気吸込み口から吸込まれた外気と冷媒とを熱交換させる熱交換器、前記筐体内に収容され、前記吹き出し口と対向するとともに、前記吹き出し口を介して、前記冷媒と熱交換した前記外気を外部に吹き出すファンを有する室外機本体と、
前記筐体に設けられ、かつ前記外気吸込み口の周囲に配置されたフレーム、及び該フレームの外側から前記外気吸込み口を囲むように配置されるとともに、前記フレームに対して着脱可能に取り付けられたメッシュ状部材を有する防雪フードと、
を備える室外機。
【請求項２】
前記メッシュ状部材は、枠部と、該枠部の内側に設けられた金属製メッシュ部と、を有する請求項１記載の室外機。
【請求項３】
前記フレームは、上部に配置された第１の係合部と、下部に配置された第２の係合部と、を有しており、
前記メッシュ状部材は、前記枠部の上部に設けられ、前記第１の係合部に対して係合可能な第３の係合部と、
前記枠部の下部に設けられ、前記第２の係合部に対して係合可能な第４の係合部と、を有する請求項２記載の室外機。
【請求項４】
前記第１の係合部は、フックであり、
前記第３の係合部は、前記フックに引掛け可能なリング部材である請求項３記載の室外機。
【請求項５】
前記第２の係合部、及び前記第４の係合部からなる構造体は、スライドラッチである請求項３又は４記載の室外機。
【請求項６】
前記外気吸込み口は、前記筐体の側壁に形成されており、
前記フレームの上面側は、前記筐体の側壁から離間するにつれて下方に向かう湾曲形状とされており、
前記メッシュ状部材のうち、前記フレームの上面側に配置される上側メッシュ状部材は、前記フレームの上面側に沿う湾曲形状である請求項１から５のうち、いずれか一項記載の室外機。
【請求項７】
前記メッシュ状部材は、前記上側メッシュ状部材の両側に配置されて、横方向から前記外気吸込み口を保護する一対の横側メッシュ状部材を有し、
前記一対の横側メッシュ状部材が配置される前記フレームの一部は、前記吹き出し口が形成されていない前記筐体の側壁部の外面と接触しており、
前記一対の横側メッシュ状部材の一部は、前記側壁部の外面と対向する請求項６記載の室外機。
【請求項８】
前記筐体の上部には、第５の係合部が設けられており、
前記フレームの上部には、前記第５の係合部に係合可能な第６の係合部が設けられており、
前記一対の横側メッシュ状部材が配置される前記フレームの一部は、前記側壁部の外面に対してビス止めされている請求項７記載の室外機。
【請求項９】
前記フレームは、前記筐体に取り付けられるフレーム本体と、前記金属製メッシュ部と対向して配置された補強フレームと、を有する請求項２記載の室外機。
【請求項１０】
前記筐体の上面側に、前記吹き出し口を囲むように、前記防雪フードを配置させる請求項１から９のうち、いずれか一項記載の室外機。
【発明の詳細な説明】
【技術分野】
【０００１】
本発明は、室外機に関する。
【背景技術】
【０００２】
室外機として、筐体の吸い込み口や吹き出し口に防雪フードを備えたものがある。
しかし、防雪フード全体を金属製の板材で形成すると、降雪時以外のときに通風性が低下してしまうという問題や重量が重くなるという問題があった。
これらの問題を解消可能な技術として、特許文献１に開示された室外ユニットがある。
特許文献１には、室外ユニットの筐体の吸い込み口及び吹き出し口のうち、少なくとも一方に金網製の防雪フードを設けることが開示されている。
【先行技術文献】
【特許文献】
【０００３】
【特許文献１】特開昭５５−２０３１４号公報
【発明の概要】
【発明が解決しようとする課題】
【０００４】
ところで、防雪フードは、降雪時期以外のときには、不要である。このため、降雪時期以外のときには、筐体から防雪フードを取り外しておくことが好ましい。防雪フードを筐体から取り外すことで、通風性をさらに向上させることができるからである。
【０００５】
特許文献１に開示された室外ユニットは、降雪のないときに通風抵抗を小さくために、金網製の防雪フードを用いている。したがって、特許文献１では、室外ユニットの筐体に防雪フードを固定したままで使用することを前提としている。
よって、特許文献１に開示された防雪フードは、筐体から着脱することが困難な構成であるため、降雪時期以外の時期に通風性をさらに向上できないという問題があった。
【０００６】
そこで、本発明は、筐体から防雪フードの金属製メッシュ部を容易に着脱可能にすることで、降雪時期以外の時期での通風性を向上させることの可能な室外機を提供することを目的とする。
【課題を解決するための手段】
【０００７】
上記課題を解決するため、本発明の一態様に係る室外機は、外気吸込み口と吹き出し口が形成された筐体、該筐体内に収容され、前記外気吸込み口から吸込まれた外気と冷媒とを熱交換させる熱交換器、前記筐体内に収容され、前記吹き出し口と対向するとともに、前記吹き出し口を介して、前記冷媒と熱交換した前記外気を外部に吹き出すファンを有する室外機本体と、前記筐体に設けられ、かつ前記外気吸込み口の周囲に配置されたフレーム、及び該フレームの外側から前記外気吸込み口を囲むように配置されるとともに、前記フレームに対して着脱可能に取り付けられたメッシュ状部材を有する防雪フードと、を備える。
【０００８】
本発明によれば、フレームに対して着脱可能に取り付けられたメッシュ状部材を有することで、降雪時期以外のときにはフレームからメッシュ状部材を容易に取り外すことが可能となる。これにより、降雪時期以外の時期における通風性を向上させることができる。
【０００９】
また、上記本発明の一態様に係る室外機において、前記メッシュ状部材は、枠部と、該枠部の内側に設けられた金属製メッシュ部と、を有してもよい。
【００１０】
このように、メッシュ状部材が、枠部と、枠部の内側に設けられた金属製メッシュ部と、を有することで、金属製メッシュ部を触ることなく、フレームからメッシュ状部材を取り外すことが可能となる。これにより、メッシュ状部材の着脱時における金属製メッシュ部の損傷を抑制できる。
【００１１】
また、上記本発明の一態様に係る室外機において、前記フレームは、上部に配置された第１の係合部と、下部に配置された第２の係合部と、を有しており、前記メッシュ状部材は、前記枠部の上部に設けられ、前記第１の係合部に対して係合可能な第３の係合部と、前記枠部の下部に設けられ、前記第２の係合部に対して係合可能な第４の係合部と、を有してもよい。
【００１２】
このような構成とされた第１の係合部、第２の係合部、第３の係合部、及び第４の係合部を有することで、フレームに対してメッシュ状部材を容易に着脱することができる。
【００１３】
また、上記本発明の一態様に係る室外機において、前記第１の係合部は、フックであり、前記第３の係合部は、前記フックに引掛け可能なリング部材であってもよい。
【００１４】
このように、第１の係合部としてフックを用い、第３の係合部としてリング部材を用いることで、フレームに対してメッシュ状部材を容易に着脱することができる。
【００１５】
また、上記本発明の一態様に係る室外機において、前記第２の係合部、及び前記第４の係合部からなる構造体は、スライドラッチであってもよい。
【００１６】
このように、第２の係合部、及び第４の係合部からなる構造体としてスライドラッチを用いることで、着脱作業を容易に行うことができる。
【００１７】
また、上記本発明の一態様に係る室外機において、前記外気吸込み口は、前記筐体の側壁に形成されており、前記フレームの上面側は、前記筐体の側壁から離間するにつれて下方に向かう湾曲形状とされており、前記メッシュ状部材のうち、前記フレームの上面側に配置される上側メッシュ状部材は、前記フレームの上面側に沿う湾曲形状であってもよい。
【００１８】
このような形状とされたフレーム及び上側メッシュ状部材を有することで、上側メッシュ状部材に堆積した雪を上側メッシュ状部材の下方に落下させることができる。
【００１９】
また、上記本発明の一態様に係る室外機において、前記メッシュ状部材は、前記上側メッシュ状部材の両側に配置されて、横方向から前記外気吸込み口を保護する一対の横側メッシュ状部材を有し、前記一対の横側メッシュ状部材が配置される前記フレームの一部は、前記吹き出し口が形成されていない前記筐体の側面と接触しており、前記一対の横側メッシュ状部材の一部は、前記筐体の側面と対向してもよい。
【００２０】
このような構成とすることで、鉛直方向に対して傾斜した方向から降ってくる雪から外気吸込み口を保護することができる。
【００２１】
また、上記本発明の一態様に係る室外機において、前記筐体の上部には、第５の係合部が設けられており、前記フレームの上部には、前記第５の係合部に係合可能な第６の係合部が設けられており、前記一対の横側メッシュ状部材が配置される前記フレームの一部は、前記筐体の側面に対してビス止めされていてもよい。
【００２２】
例えば、第５及び第６の係合部に替えて、フレームの上部を筐体にビス止めした場合、フレームの上部が高い位置にあるため、ビス止めを外すために脚立が必要となる。
一方、第５及び第６の係合部を用いることで、フレームの上部上の着脱時に脚立が不要となるので、筐体からフレームを容易に取り外すことができる。
【００２３】
また、上記本発明の一態様に係る室外機において、前記フレームは、前記筐体に取り付けられるフレーム本体と、前記金属製メッシュ部と対向して配置された補強フレームと、を有してもよい。
【００２４】
このように、フレーム本体に補強フレームを設けることで、フレーム本体の強度を高めることができる。
また、金属製メッシュ部と対向して配置された補強フレームを有することで、金属製メッシュ部の強度を補強することができる。
【００２５】
また、上記本発明の一態様に係る室外機において、前記筐体の上面側に、前記吹き出し口を囲むように、前記防雪フードを配置させてもよい。
【００２６】
このような構成とされた防雪フードを有することで、吹き出し口を保護することができる。また、降雪時期以外の時期に通風性を向上させることができる。
【発明の効果】
【００２７】
本発明によれば、筐体から防雪フードの金属製メッシュ部を容易に着脱可能にすることで、降雪時期以外の時期に通風性を向上させることができる。
【図面の簡単な説明】
【００２８】
【図１】本発明の第１の実施形態に係る室外機の概略構成を示す斜視図である。
【図２】図１に示す室外機をＡ視した図である。
【図３】図１に示す室外機の筐体から取り外した防雪フードを示す斜視図である。
【図４】図１に示す防雪フードが取り外された状態の室外機本体を示す斜視図である。
【図５】図３に示す防雪フードを構成する枠部から金属製メッシュ部を取り外した状態を示す斜視図である。
【図６】図３に示す第２の係合部、及び第４の係合部からなる構造体の一例であるスライドラッチを模式的に示す図である。
【図７】本発明の第２の実施形態に係る室外機の概略構成を示す斜視図である。
【発明を実施するための形態】
【００２９】
（第１の実施形態）
図１〜図６を参照して、第１の実施形態の室外機１０について説明する。
図１において、Ｘ方向は室外機本体１１の幅方向、Ｙ方向はＸ方向に対して直交する室外機本体１１の長手方向、Ｚ方向はＸ方向及びＹ方向に対して直交する鉛直方向をそれぞれ示している。
図２に示す矢印は、筐体１６内に取り込まれた外気が移動する方向を模式的に示している。図１〜図６において、同一構成部分には、同一符号を付す。
図６において、Ｓは軸部６４Ａがスライド可能な方向（以下、「方向Ｓ」という）を示している。図６では、スライドラッチ８１がロックされた状態を模式的に示している。
【００３０】
第１の実施形態の室外機１０は、室外機本体１１と、防雪フード１３と、を有する。
室外機本体１１は、機械室１５と、筐体１６と、熱交換器１８と、複数のファン２１と、を有する。
【００３１】
機械室１５は、Ｙ方向に延在する筐体２２と、筐体２２内に収容された圧縮機、四方切換え弁、水熱交換器、膨張弁、冷媒配管、水配管、及び水循環ポンプ（全て図示せず）と、を有する。
圧縮機、四方切換え弁、水熱交換器、及び膨張弁は、冷媒配管を介して接続されている。水配管は、水熱交換器及び水循環ポンプと接続されている。
室外機１０は、四方切換え弁を切り替えることで、冷房運転と暖房運転との両方の運転に対応可能な構成とされている。
【００３２】
圧縮機は、例えば、インバータによって駆動されるモータを有する。圧縮機では、上記モータの回転数を制御することで、冷媒配管に吐出する冷媒の量を調整する。
水熱交換器は、冷媒配管を流れる冷媒と、水配管を流れる水と、を熱交換させる。
【００３３】
水配管は、室外機１０の外部から水熱交換器に水を供給する第１の水配管と、水熱交換器の水を室外機１０の外部に排出する第２の水配管と、を有する。
膨張弁は、熱交換器１８と接続されている。水循環ポンプは、機械室１５を構成する複数の水熱交換器に水を供給する。
【００３４】
筐体１６は、機械室１５上に設けられており、Ｙ方向に延在している。筐体１６は、第１の側壁部２３，２４と、第２の側壁部２５，２６と、上板部２７と、第５の係合部２８と、を有する。
第１の側壁部２３，２４は、Ｘ方向において対向配置されている。第１の側壁部２３，２４には、それぞれ外気（空気）を取り込むための外気吸込み口２９（図１の場合、スリット状の外気吸込み口）が形成されている。
筐体１６内には、ファン２１が回転した際、外気吸込み口２９を介して、外気が取り込まれる。
【００３５】
第２の側壁部２５，２６は、Ｙ方向において対向配置されている。第２の側壁部２５，２６は、それぞれ第１の側壁部２３，２４と接続されている。第２の側壁部２５は、平面とされた外面２５ａを有する。第２の側壁部２６は、平面とされた外面２６ａを有する。
【００３６】
上板部２７は、第１の側壁部２３，２４の上端、及び第２の側壁部２５，２６の上端と接続されている。
上板部２７は、Ｙ方向に配列された複数の吹き出し口３２を有する。複数の吹き出し口３２は、Ｚ方向において、それぞれ１つのファン２１と対向している。
【００３７】
第５の係合部２８は、第１の側壁部２３側に位置する上板部２７の側壁に設けられている。第５の係合部２８は、Ｙ方向に複数設けられている。第５の係合部２８は、フレーム３５に設けられた第６の係合部４３と係合する部材である。第５の係合部２８としては、例えば、斜め上方に延在するとともに、先端部がＬ字形状とされたフックを用いることが可能である。
【００３８】
熱交換器１８は、筐体１６内に収容されている。熱交換器１８は、空気式の熱交換器である。
熱交換器１８は、外気吸込み口２９を介して吸い込まれた外気（空気）が導入される空間１８Ａと、空間１８Ａに配置され、圧縮機と接続された複数の伝熱チューブ１８Ｂと、を有する。
複数の伝熱チューブ１８Ｂ内には、圧縮機により冷媒が循環されている。熱交換器１８では、複数の伝熱チューブ１８Ｂと外気吸込み口２９を介して吸い込まれた外気（空気）とが熱交換する。
【００３９】
複数のファン２１は、熱交換器１８の上方に配置されている。複数のファン２１は、Ｙ方向に対して所定の間隔を空けて配列されている。複数のファン２１は、熱交換器１８内の空間１８Ａに外気を吸い込ませるとともに、熱交換した外気をファン２１の上方に排出させる。
【００４０】
次に、防雪フード１３について説明する。
防雪フード１３は、筐体１６に２つ設けられている。
一方の防雪フード１３は、第１の側壁部２３に形成された外気吸込み口２９を囲むように、筐体１６に配置されている。
他方の防雪フード１３は、第１の側壁部２４に形成された外気吸込み口２９を囲むように、筐体１６に配置されている。
【００４１】
防雪フード１３は、フレーム３５と、上側メッシュ状部材３７Ａ，３７Ｂ及び横側メッシュ状部材３７Ｃ，３７Ｄを含むメッシュ状部材３７と、を有する。
フレーム３５は、フレーム本体４１と、補強フレーム４２と、第６の係合部４３と、第１の係合部４４Ａ，４４Ｂと、第２の係合部４５Ａ，４５Ｂと、を有する。
【００４２】
フレーム本体４１は、第１のフレーム部４６と、第２のフレーム部４７と、第３のフレーム部４８と、第１の連結部５１と、第２の連結部５２と、第３の連結部５４と、を有する。
【００４３】
第１のフレーム部４６は、防雪フード１３が室外機本体１１に取り付けられた状態において、Ｙ方向に延在するとともに、第１の側壁部２３の外面２３ａの上端部又は第１の側壁部２４の外面２４ａの上端部と接触している。
第２のフレーム部４７は、防雪フード１３が室外機本体１１に取り付けられた状態において、Ｙ方向に延在するとともに、第１のフレーム部４６の下方に位置する第１の側壁部２３の外面２３ａ又は第１の側壁部２４の外面２４ａと接触している。
【００４４】
第３のフレーム部４８は、第２のフレーム部４７からＸ方向に離間した位置に設けられている。
なお、第３のフレーム部４８は、第２のフレーム部４７から離間するとともに、第２のフレーム部４７よりも低い位置に配置させてもよい。
【００４５】
第１の連結部５１は、Ｙ方向に複数（本実施形態の場合、一例として、３つ）配置されている。Ｙ方向において、両端に配置された２つの第１の連結部５１は、筐体１６側に位置する第２の連結部５２の端と筐体１６側に位置する第３の連結部５４の端とをそれぞれ連結している。
防雪フード１３が室外機本体１１に取り付けられた状態において、これら２つの第１の連結部５１のうち、一方の第１の連結部５１が第２の側壁部２５の外面２５ａと接触し、他方の第１の連結部５１が第２の側壁部２６の外面２６ａと接触している。
これら２つの第１の連結部５１は、複数のビス７９により第２の側壁部２５又は第２の側壁部２６にビス止めされている。
【００４６】
Ｙ方向において、中央に配置された第１の連結部５１は、第１のフレーム部４６と第２のフレーム部４７とを連結している。防雪フード１３が室外機本体１１に取り付けられた状態において、中央に配置された第１の連結部５１は、第１の側壁部２３の外面２３ａ又は第１の側壁部２４の外面２４ａと接触している。
【００４７】
第２の連結部５２は、第２のフレーム部４７と第３のフレーム部４８とを連結している。第２の連結部５２は、Ｙ方向に複数配置されている。
【００４８】
第３の連結部５４は、Ｙ方向に複数（本実施形態の場合、一例として、３つ）配置されている。複数の第３の連結部５４は、第１のフレーム部４６と第３のフレーム部４８とをそれぞれ連結している。複数の第３の連結部５４は、湾曲した部材である。Ｙ方向において、両端に配置された第３の連結部５４は、中央に配置された第３の連結部５４よりも長さが長くなるように構成されている。また、Ｙ方向の両端に配置された第３の連結部５４の上部は、第１のフレーム部４６よりも筐体１６側に突出している。
【００４９】
このように、Ｙ方向の両端に配置された第３の連結部５４の上部は、第１のフレーム部４６よりも筐体１６側に突出させることで、Ｙ方向の両端に配置された第１の連結部５１と第２の側壁部２５の外面２５ａ又は第２の側壁部２６の外面２６ａとを接触させることが可能となる。
【００５０】
複数の第３の連結部５４は、湾曲した上面５４ａを有する。フレーム３５に上側メッシュ状部材３７Ａ，３７Ｂが取り付けられた状態において、複数の第３の連結部５４の上面５４ａには、上側メッシュ状部材３７Ａ，３７Ｂの一部が配置される。
【００５１】
補強フレーム４２は、互いに隣り合う位置に配置された２本の第３の連結部５４（フレーム本体４１の一部）をＸ字状に連結する部材である。補強フレーム４２は、湾曲した上面４２ａを有する。
フレーム３５に上側メッシュ状部材３７Ａ，３７Ｂが取り付けられた状態において、補強フレーム４２の上面４２ａは、上側メッシュ状部材３７Ａ，３７Ｂを構成する金属製メッシュ部６２と対向している。
【００５２】
このように、フレーム本体４１に補強フレーム４２を設けることで、フレーム本体４１の強度を高めることができる。
また、金属製メッシュ部６２と対向して配置された補強フレーム４２を有することで、金属製メッシュ部６２を補強することができる。
【００５３】
なお、補強フレーム４２の上面４２ａと上側メッシュ状部材３７Ａ，３７Ｂを構成する金属製メッシュ部６２とが接触するように構成してもよい。このような構成とすることで、補強フレーム４２の上面４２ａと金属製メッシュ部６２との間に隙間を介在させることなく、と金属製メッシュ部６２を支持することが可能となるので、金属製メッシュ部６２の補強効果を高めることができる。
【００５４】
第６の係合部４３は、第１のフレーム部４６の端（筐体１６側に位置する端）に設けられている。第６の係合部４３は、Ｙ方向に複数配置されている。
第６の係合部４３は、筐体１６に形成された第５の係合部２８と係合される部材である。第５の係合部２８としてフックを用いる場合、第６の係合部４３としては、例えば、フックに引掛けることの可能なリング部材を用いることが可能である。
【００５５】
例えば、第５及び第６の係合部に替えて、第１のフレーム部４６（フレーム３５の上部）を筐体１６の上板部２７にビス止めした場合、フレームの上部が高い位置にあるため、ビス止めを外すために脚立が必要となる。
一方、第５及び第６の係合部２８，４３を用いることで、フレーム３５の上部の着脱時に脚立が不要となるので、筐体１６からフレーム３５を容易に取り外すことができる。
【００５６】
第１の係合部４４Ａは、第１のフレーム部４６の上面４６ａに設けられている。第１の係合部４４Ａは、Ｙ方向に複数配置されている。
フレーム３５に上側メッシュ状部材３７Ａ，３７Ｂが取り付けられた状態において、第１の係合部４４Ａは、上側メッシュ状部材３７Ａ，３７Ｂを構成する第３の係合部６３と係合される。
第１の係合部４４Ａとしては、例えば、斜め上方に延出し、かつ先端がＬ字形状とされたフックを用いることが可能である。
【００５７】
第１の係合部４４Ｂは、一対の第３の連結部５４の上部に設けられている。
フレーム３５に横側メッシュ状部材３７Ｃ，３７Ｄが取り付けられた状態において、第１の係合部４４Ｂは、横側メッシュ状部材３７Ｃ，３７Ｄを構成する第３の係合部７３と係合される。
第１の係合部４４Ｂとしては、例えば、斜め上方に延出し、かつ先端がＬ字形状とされたフックを用いることが可能である。
【００５８】
第２の係合部４５Ａは、複数の第３の連結部５４の下部に位置する上面５４ａにそれぞれ設けられている。第２の係合部４５Ａは、スライドラッチ８１の一部を構成する部材である。スライドラッチ８１は、第２の係合部４５Ａと、第２の係合部４５Ａと係合する第４の係合部６４と、を有する。
第２の係合部４５Ａとしては、例えば、第４の係合部６４の軸部６４Ａが挿入される開口部を有した部材を用いることが可能である（図６参照）。
【００５９】
第２の係合部４５Ｂは、２つの第２の連結部５２の外面５２ａにそれぞれ複数設けられている。第２の係合部４５Ｂは、スライドラッチ８２の一部を構成する部材である。
スライドラッチ８２は、第２の係合部４５Ｂと、第２の係合部４５Ｂと係合する第４の係合部７４と、を有する。
第２の係合部４５Ｂは、図６に示す第２の係合部４５Ａと同様な構成とされている。
【００６０】
上記構成とされたフレーム３５の上面側は、筐体１６の第１の側壁部２３から離間するにつれて下方に向かう湾曲形状とされている。
【００６１】
上側メッシュ状部材３７Ａは、枠部６１と、金属製メッシュ部６２と、第３の係合部６３と、第４の係合部６４と、を有する。
枠部６１は、矩形とされた金属製の枠である。枠部６１は、補強フレーム４２、第１のフレーム部４６、第３のフレーム部４８、及び第３の連結部５４の上面４２ａ，４６ａ，４８ａ，５４ａと接触可能な形状とされている。
【００６２】
金属製メッシュ部６２は、枠部６１の内側に配置されており、外周部が枠部６１と接続されている。金属製メッシュ部６２は、雪を堆積可能な目の粗さとされている。また、金属製メッシュ部６２は、空気が通過可能な目の粗さとされている。
【００６３】
このように、上側メッシュ状部材３７Ａが、枠部６１と、枠部６１の内側に設けられた金属製メッシュ部６２と、を有することで、金属製メッシュ部６２を触ることなく、フレーム３５から上側メッシュ状部材３７Ａを取り外すことが可能となる。これにより、上側メッシュ状部材３７Ａの着脱時における金属製メッシュ部６２の損傷を抑制することができる。
【００６４】
上述した枠部６１及び金属製メッシュ部６２を含む上側メッシュ状部材３７Ａの形状は、例えば、フレーム３５の上面側に沿う湾曲形状とするとよい。
このように、上側メッシュ状部材３７Ａの形状を、フレーム３５の上面側に沿う湾曲形状とすることで、上側メッシュ状部材３７Ａ，３７Ｂ上に雪が堆積した際、堆積した雪を上側メッシュ状部材３７Ａ，３７Ｂの下方に落下させることができる。
【００６５】
第３の係合部６３は、枠部６１の上部に設けられている。第３の係合部６３は、Ｙ方向に複数配置されている。
第３の係合部６３は、第１の係合部４４Ａと係合される部材である。第１の係合部４４Ａとしてフックを用いる場合、第３の係合部６３としては、例えば、フックに引掛けることが可能なリング部材を用いることが可能である。
【００６６】
第４の係合部６４は、枠部６１のうち、第３の連結部５４の上面５４ａと接触する下部に設けられている。第４の係合部６４は、第２の係合部４５Ａと係合される部材である。
フレーム３５に上側メッシュ状部材３７Ａが取り付けられた状態において、第４の係合部６４は、Ｙ方向において第２の係合部４５Ａと互いに隣り合う位置に配置されている。
【００６７】
上述した第１の係合部４４Ａと、第１の係合部４４Ａと係合する第３の係合部６３と、第２の係合部４５Ａと、第２の係合部４５Ａと係合する第４の係合部６４と、を有することで、フレーム３５に対して上側メッシュ状部材３７Ａを容易に着脱することができる。
【００６８】
上側メッシュ状部材３７Ｂは、先に説明した上側メッシュ状部材３７Ａと同様な構成とされている。つまり、上側メッシュ状部材３７Ｂは、枠部６１と、金属製メッシュ部６２と、第３の係合部６３と、第４の係合部６４と、を有する。
これにより、上側メッシュ状部材３７Ｂは、フレーム３５に対して容易に着脱することができる。
【００６９】
上側メッシュ状部材３７Ａ，３７Ｂは、フレーム３５の上面側に取り付けられた状態において、Ｙ方向に配置されている。上側メッシュ状部材３７Ａ，３７Ｂは、フレーム３５の上面側に配置され、フレーム本体４１と補強フレーム４２との間に形成された開口部６６を覆っている。
【００７０】
横側メッシュ状部材３７Ｃは、Ｙ方向に配置されたフレーム３５の一方の端に取り付けられている。横側メッシュ状部材３７Ｃは、枠部７１と、金属製メッシュ部７２と、第３の係合部７３と、第４の係合部７４と、を有する。
枠部７１は、フレーム３５の一方の端に対応するように略三角形状とされている。金属製メッシュ部７２は、枠部７１の内側に設けられている。金属製メッシュ部７２の外周部は、枠部７１と接続されている。
【００７１】
第３の係合部７３は、第１の係合部４４Ｂと係合する部材であり、枠部７１の上部に設けられている。
第１の係合部４４Ｂとしてフックを用いる場合、第３の係合部７３としては、例えば、フックに引掛けることの可能なリング部材を用いることができる。
【００７２】
第４の係合部７４は、第２の係合部４５Ｂと係合する部材であり、枠部７１の下部に設けられている。第４の係合部７４は、先に説明した第４の係合部６４と同様な構成とされている。
フレーム３５に横側メッシュ状部材３７Ｃが取り付けられた状態において、第４の係合部７４は、第２の係合部４５Ｂと互いに隣り合う位置に配置されている。
このような構成とされた横側メッシュ状部材３７Ｃは、フレーム３５に対して容易に着脱することができる。
【００７３】
横側メッシュ状部材３７Ｄは、Ｙ方向に配置されたフレーム３５の一方の端に取り付けられていること以外は、横側メッシュ状部材３７Ｃと同様に構成されている。
つまり、横側メッシュ状部材３７Ｄは、枠部７１と、金属製メッシュ部７２と、第３の係合部７３と、第４の係合部７４と、を有する。
このような構成とされた横側メッシュ状部材３７Ｄは、フレーム３５に対して容易に着脱することができる。
【００７４】
上述した一対の横側メッシュ状部材３７Ｃ，３７Ｄを有することで、Ｚ方向に対して傾斜した方向から降ってくる雪から外気吸込み口２９を保護することができる。つまり、横方向から外気吸込み口２９を保護することができる。
【００７５】
第１の実施形態の室外機１０によれば、室外機本体１１の筐体１６に設けられ、かつ筐体１６に形成された外気吸込み口２９の周囲に配置されたフレーム３５、及びフレーム３５の外側から外気吸込み口２９を囲むように配置されるとともに、フレーム３５に対して着脱可能に取り付けられたメッシュ状部材３７を有する防雪フード１３を備えることで、降雪時期以外のときには、フレーム３５からメッシュ状部材３７を容易に取り外すことが可能となるので、通風性を向上させることができる。
【００７６】
（第２の実施形態）
図７を参照して、第２の実施形態に係る室外機８０について説明する。図７において、図１に示す構造体と同一構成部分には同一符号を付す。図７では、筐体１６と防雪フード８５の構成を簡略化して図示を省略する。
【００７７】
室外機８０は、複数の吹き出し口３２を囲むように、箱型形状とされた防雪フード８５をさらに設けたこと以外は、室外機１０と同様に構成されている。
防雪フード８５は、形状が異なること以外は、第１の実施形態で説明した防雪フード１３と同様に構成されている。
【００７８】
第２の実施形態の室外機８０によれば、吹き出し口３２（図４参照）を囲む防雪フード８５を別途有することで、吹き出し口３２を確保することができる。また、降雪時期以外の時期に通風性を向上させることができる。
【００７９】
以上、本発明の好ましい実施形態について詳述したが、本発明はかかる特定の実施形態に限定されるものではなく、特許請求の範囲内に記載された本発明の要旨の範囲内において、種々の変形・変更が可能である。
【符号の説明】
【００８０】
１０，８０…室外機
１１…室外機本体
１３，８５…防雪フード
１５…機械室
１６，２２…筐体
１８…熱交換器
１８Ａ…空間
１８Ｂ…伝熱チューブ
２１…ファン
２３，２４…第１の側壁部
２３ａ，２４ａ，２５ａ，２６ａ，５２ａ…外面
２５，２６…第２の側壁部
２７…上板部
２８…第５の係合部
２９…外気吸込み口
３２…吹き出し口
３５…フレーム
３７…メッシュ状部材
３７Ａ，３７Ｂ…上側メッシュ状部材
３７Ｃ，３７Ｄ…横側メッシュ状部材
４１…フレーム本体
４２…補強フレーム
４２ａ，４６ａ，４８ａ，５４ａ…上面
４３…第６の係合部
４４Ａ，４４Ｂ…第１の係合部
４５Ａ，４５Ｂ…第２の係合部
４６…第１のフレーム部
４７…第２のフレーム部
４８…第３のフレーム部
５１…第１の連結部
５２…第２の連結部
５４…第３の連結部
６１，７１…枠部
６２，７２…金属製メッシュ部
６３，７３…第３の係合部
６４，７４…第４の係合部
６６，７６…開口部
７９…ビス
８１，８２…スライドラッチ
Ｓ…方向
【図１】
2019086231.tif 000003
【図２】
2019086231.tif 000004
【図３】
2019086231.tif 000005
【図４】
2019086231.tif 000006
【図５】
2019086231.tif 000007
【図６】
2019086231.tif 000008
【図７】
2019086231.tif 000009